(57)【要約】【課題】２つの筐体を開閉自在に連結して構成された携帯端末装置において、充電無しに長時間使用できるようにする。【解決手段】一方の主面２ａに操作部７を有する第１の筐体２と、一方の主面３ａに表示部１５を有する第２の筐体３とが連結手段５を介して開閉可能に連結され、前記操作部７は閉状態にて前記第２の筐体３により覆われ且つ開状態にて外側に露出させることができると共に、前記表示部１５は、閉状態及び開状態のいずれの状態でも外側に露出させることが可能な携帯端末装置１であって、前記第１の筐体２の他方の主面２ｄ側及び前記第２の筐体３の他方の主面３ｄ側にそれぞれ個別にバッテリー１１，１９を設けるようにしたことを特徴とする携帯端末装置１を提供する。【選択図】      図１
2004328595.tif 000002
【特許請求の範囲】
【請求項１】
一方の主面に操作部を有する第１の筐体と、一方の主面に表示部を有する第２の筐体とが連結手段を介して開閉可能に連結され、前記操作部は閉状態にて前記第２の筐体により覆われ且つ開状態にて外側に露出させることができると共に、前記表示部は、閉状態及び開状態のいずれの状態でも外側に露出させることが可能な携帯端末装置であって、前記第１の筐体の他方の主面側及び前記第２の筐体の他方の主面側にそれぞれ個別にバッテリーを設けるようにしたことを特徴とする携帯端末装置。
【請求項２】
前記第１の筐体内には、操作部、第１の回路基板、第１のバッテリーが厚み方向に順次配置され、前記第２の筐体内には、表示部、第２の回路基板、第２のバッテリーが厚み方向に順次配置されていることを特徴とする請求項１に記載の携帯端末装置。
【発明の詳細な説明】
【０００１】
【発明の属する技術分野】
この発明は、２つの筐体を開閉自在に連結して構成された携帯電話機、ＰＤＡ（Ｐｅｒｓｏｎａｌ  Ｄｉｇｉｔａｌ  Ａｓｓｉｓｔａｎｔｓ）等の携帯端末装置に関する。
【０００２】
【従来の技術】
従来、２つの筐体を連結手段により開閉可能に連結した携帯端末装置としては、２つの筐体が互いに折り畳み自在に連結されているものがある（例えば、特許文献１参照。）。この携帯端末装置においては、一方の筐体に操作部が設けられ、他方の筐体に表示部が設けられている。これら操作部及び表示部は、２つの筐体を互いに折り畳んだ状態において、互いの筐体によりそれぞれ覆い隠されるようになっている。そして、これら操作部及び表示部の動作に要する電力を供給するバッテリーは、２つの筐体の開閉状態に関係なく露出する一方の筐体の背面に設けられている。
なお、この携帯端末装置は、２つの筐体を互いに折り畳んだ状態で表示部を視認できないため、近年では、前述した他方の筐体の背面側に別途表示部を設けたものも提案されている。
【０００３】
【特許文献１】
特許第２８２１３７６号公報
【０００４】
【発明が解決しようとする課題】
ところで、従来の携帯端末装置においては、一方の筐体のみにバッテリーを搭載するのが一般的であったが、他方の筐体の背面側にも別途表示部を設けるようにしたものでは、常時表示部に情報を表示することから消費電力が多くなり、充電無しに携帯端末装置を長時間使用することができなくなるといった課題があった。特に、近年、カメラ機能、動画再生機能等の消費電力の高い機能を付加する傾向にあり、充電無しに携帯端末装置を使用することができる時間がさらに短くなる傾向にあった。
この発明は、上述した事情に鑑みてなされたものであって、充電無しに長時間使用できる携帯端末装置の提供を目的としている。
【０００５】
【課題を解決するための手段】
本発明は、上記課題を解決するために以下の手段を採用する。
即ち、請求項１に係る発明は、一方の主面に操作部を有する第１の筐体と、一方の主面に表示部を有する第２の筐体とが連結手段を介して開閉可能に連結され、前記操作部は閉状態にて前記第２の筐体により覆われ且つ開状態にて外側に露出させることができると共に、前記表示部は、閉状態及び開状態のいずれの状態でも外側に露出させることが可能な携帯端末装置であって、前記第１の筐体の他方の主面側及び前記第２の筐体の他方の主面側にそれぞれ個別にバッテリーを設けたことを特徴とする。
【０００６】
この発明に係る携帯端末装置によれば、各筐体内にバッテリーを搭載するようにしたことから、携帯端末装置を動作させるための電力容量を容易に向上させることができ、例えば、カメラ機能、動画再生機能等の消費電力の高い機能が付加された場合でも、携帯端末装置を充電無しに長時間使用することができる。
また、２つの筐体を開いた状態においては、２つの筐体の各一方の主面に配された操作部及び表示部を同時に視認できるようになり、２つの筐体の各他方の主面側にバッテリーを搭載しても外観意匠上の不具合を招くことがない。
なお、本発明において、筐体の一方の主面とは、筐体を構成する表面の中で最も大きな面積を有する表面のことをいい、筐体の他方の主面とは、一方の主面に次いで大きな面積を有する表面のことをいうものとする。
【０００７】
請求項２に係る発明は、請求項１に記載の携帯端末装置において、前記第１の筐体内には、操作部、第１の回路基板、第１のバッテリーをその厚み方向に順次搭載すると共に、前記第２の筐体内には、表示部、第２の回路基板、第２のバッテリーをその厚み方向に順次搭載するようにしたことを特徴とする。
この発明に係る携帯端末装置によれば、各筐体の厚み方向にわたって各部品が配置され、かつ変形し難いバッテリーを備えるため、捩れや変形に伴う筐体強度を向上させることができる。
【０００８】
【発明の実施の形態】
図１から図３は本発明に係る一実施形態を示しており、ここで説明する実施の形態は、この発明を携帯電話機に適用した場合のものである。
この実施の形態に係る携帯電話機（携帯端末装置）１は、図１に示すように、第１の筐体２と、この第１の筐体２の厚さ方向に重ね合わせ可能な第２の筐体３と、これら２つの筐体２，３を、その厚さ方向に延びる第１の軸線（基準軸線）Ｌ１を中心としてＡＢ方向に回動可能、且つ第１の軸線Ｌ１に直交する第２の軸線Ｌ２を中心としてＣＤ方向に相互に揺動可能に連結する連結手段５とを備えている。なお、連結手段５は、２つの筐体２，３の各端部２ｂ，３ｂ（以下、基端部２ｂ，３ｂと呼ぶ。）同士を連結するように配されている。
【０００９】
第１の軸線Ｌ１方向に面する第１の筐体２の一方の主面２ａには、通話キー、終話キー等の各種の押圧可能な操作キーからなる操作部７が設けられている。また、この一方の主面２ａのうち、基端部２ｂの反対側に位置する第１の筐体２の先端部２ｃには、マイクロフォン部９が設けられている。これら操作部７およびマイクロフォン部９は、第１、第２の筐体２，３を互いに重ね合わせて閉じた状態において、第２の筐体３により覆い隠されるようになっている。
【００１０】
また、この第１の筐体２の内部には、第１のバッテリー１１及び第１の回路基板１３が配されている。第１のバッテリー１１は、操作部７及びマイクロフォン部９を駆動するためのものであり、主面２ａの反対側に位置する第１の筐体２の他方の主面２ｄ側に出し入れ自在となっている。
第１の回路基板１３には、通話機能やメール機能等の各種機能を制御するための各種電子部品（不図示）が搭載されており、操作部７及びマイクロフォン部９と第１のバッテリー１１とは、この第１の回路基板１３を介して電気的に接続されている。これにより、操作部７及びマイクロフォン部９の動作に要する電力を第１のバッテリー１１から供給することができる。
なお、操作部７、第１の回路基板１３、及び第１のバッテリー１１はそれぞれ第１の筐体２の内部において、主面２ａ側から操作部７、第１の回路基板１３、及び第１のバッテリー１１の順で厚み方向に内蔵されている。
【００１１】
第１の筐体２の主面２ａと略同じ方向に向く第２の筐体３の一方の主面３ａには、各種の情報を表示する表示部１５が設けられている。また、この主面３ａのうち、基端部３ｂの反対側に位置する第２の筐体３の先端部３ｃにはスピーカー部１７が設けられている。これら表示部１５及びスピーカー部１７は、２つの筐体２，３を開いた状態から基準軸線Ｌ１を中心に相互に１８０°回動して、図２に示すように、重ね合わせて閉じても外方に露出している。
【００１２】
また、この第２の筐体３の内部には、第２のバッテリー１９及び第２の回路基板２１が配されている。第２のバッテリー１９は、表示部１５及びスピーカー部１７を駆動するためのものであり、主面３ａの反対側に位置する第２の筐体３の他方の主面３ｄ側に出し入れ自在となっている。
第２の回路基板２１には、制御するための各種電子部品（不図示）が搭載されており、表示部１５及びマイクロフォン部１７と第２のバッテリー１９とは、この第２の回路基板２１を介して電気的に接続されている。これにより、表示部１５及びスピーカー部１７の動作に要する電力を第２のバッテリー１９から供給することができる。
なお、表示部１５、第２の回路基板２１、及び第２のバッテリー１９はそれぞれ第２の筐体３の内部において、主面３ａ側から表示部１５、第２の回路基板２１、及び第２のバッテリー１９の順で厚み方向に内蔵されている。
【００１３】
また、これら第１及び第２の回路基板１３，２１は、２つの筐体２，３の内部空間を相互に連通する連結手段５の連通孔５ａを介して、複数のケーブル２５により相互に電気的に接続されている。なお、これらケーブル２５としては、２つの回路基板１３，２１間において電気信号による情報伝達を行うためのケーブル、及び第１のバッテリー１１の充電時に第２のバッテリー１９も充電するためのケーブル等である。
なお、これら２つの筐体２，３を重ね合わせて閉じた状態においては、第１の筐体２の主面２ａと第２の筐体３の主面３ｄとの間に微小隙間が形成されている。これは、２つの筐体２，３を相互に開閉する際に、第２の筐体３が主面２ａを擦って操作部７が傷つくことを防止するためである。
【００１４】
連結手段５は、図３に示すように、第１の筐体２の基端部２ｂ側に位置する主面２ａ、及び、第２の筐体３の基端部３ｂ側に位置する主面３ｄから各筐体２，３の内部にそれぞれ貫通する貫通孔３１，３３と、第１の筐体２の貫通孔３１に挿入され、第１の筐体２に対して第１の軸線Ｌ１を中心に回転可能な円筒状の連結部３５と、この連結部３５内において第２の軸線Ｌ２方向に設けられた連結ピン３９と、この連結ピン３９に対して回動可能に取着され、かつ第２の筐体３に固定された回転部材３７とを備えている。すなわち、連結部３５及び回転部材３７は、第１の筐体２に対して第１の軸線Ｌ１を中心に回転自在となっており、回転部材３７は、連結ピン３９によって連結部３５に対して第２の軸線Ｌ２を中心に揺動可能となっている。
連結手段５をこのように構成することにより、第２の筐体３を第１の筐体２に対して第１の軸線Ｌ１を中心に回動させると共に、第２の筐体３を第１の筐体２に対して第２の軸線Ｌ２を中心に揺動させることができる。
【００１５】
以上のように構成された携帯電話機１の使用方法について説明する。
この携帯電話機１を鞄や衣服のポケットに収容して携行する場合には、図２に示すように、２つの筐体２，３を互いに重ね合わせて閉じた状態とする。この状態においては、表示部１５が外方に露出しているため、例えばメール等の各種情報を着信した際に、２つの筐体２，３を相互に回動して開くことなく、表示部１５に表示される各種情報を視認することができる。
そして、この状態から、携帯電話機１を使用する場合には、図１に示すように、第２の筐体３を第１の筐体２に対して第１の軸線Ｌ１を中心に１８０°回動させて、２つの筐体２，３を相互に開く。
【００１６】
この状態においては、２つの筐体２，３の主面２ａ，３ａが略同一方向に面しているため、これら主面２ａ，３ａに設けられた操作部７及び表示部１５を同時に視認することができる。
そして、この状態において、例えば通話を行う場合には、操作部７を操作し、マイクロフォン部９およびスピーカー部１７を通じて通話を開始する。ここで、マイクロフォン部９やスピーカー部１７が口元や耳元から離間している場合には、第１の筐体２に対して第２の筐体３を第２の軸線Ｌ２を中心に揺動させて、マイクロフォン部９とスピーカー部１７との相対位置を調整することができる。
また、例えばメールを受信した場合には、操作部７を操作しながら表示部１５において受信したメールの内容を確認することができる。
【００１７】
上記のように、この携帯電話機１によれば、各筐体２，３にそれぞれバッテリー１１，１９を搭載することにより、携帯電話機１を動作させるための電力容量を容易に向上できるため、開閉状態に関係なく外側に露出する表示部１５に情報を表示させるようにしても、充電無しに携帯電話機１を長時間使用することができ、さらに、撮影機能等の消費電力の高い機能を携帯電話機１に付加しても、携帯電話機１を充電無しに長時間使用することができる。
【００１８】
さらに、２つの筐体２，３を互いに回動して開いた状態においては、２つの筐体２，３の一方の主面２ａ，３ａに配された操作部７及び表示部１５を同時に視認できるため、この状態において２つの筐体２，３の他方の主面２ｄ，３ｄを視認する必要がない。したがって、これら主面２ｄ，３ｄに第１及び第２のバッテリー１１，１９を搭載しても良好な外観意匠を保持できる。
また、第２の筐体３の主面３ｄは、２つの筐体２，３を重ね合わせて閉じた状態において第１の筐体２により覆い隠されるため、この主面３ｄに第２のバッテリー１９を搭載しても外観意匠上の不具合が発生しない。
さらに、第２の筐体３の主面３ａに設けられる表示部１５は、２つの筐体２，３の開閉状態に関係なく外方に露出しており、従来の折り畳み型携帯端末装置のように筐体の裏面に別途表示部を設ける必要もない。このため、第２の筐体３の主面３ｄに第２のバッテリー１９を設けても、携帯電話機１の良好な使用環境を保持することができる。
また、第１の筐体２の内部には、主面２ａ側から操作部７、第１の回路基板１３、及び第１のバッテリー１１の順でその厚み方向に内蔵し、第２の筐体３の内部には、主面３ａ側から表示部１５、第２の回路基板２１、及び第２のバッテリー１９の順で厚み方向に内蔵することから、捩れや変形に伴う筐体強度を向上させることができる。その為、携帯電話機１を落下させたり、第２の筐体３を回転させる際に各筐体２，３に捩れが発生した場合でも携帯電話機１の破損確率を低減することができる。
【００１９】
なお、上記の実施形態においては、連結手段５により２つの筐体２，３を第１及び第２の軸線Ｌ１，Ｌ２を中心に相互に揺動可能に連結するとしたが、これに限ることはなく、少なくとも第１の軸線Ｌ１を中心に回動可能に連結していればよい。
また、携帯電話機１に限ることはなく、ＰＤＡやノートパソコンのように、２つの筐体を連結手段により互いに回動可能、かつ開閉自在に連結した携帯端末装置であればよい。
以上、本発明の実施形態について図面を参照して詳述したが、具体的な構成はこの実施形態に限られるものではなく、本発明の要旨を逸脱しない範囲の設計変更等も含まれる。
【００２０】
【発明の効果】
以上説明したように、請求項１の発明によれば、携帯端末装置を動作させる電力容量を向上させることができるため、開閉状態に関係なく常に表示部に情報を表示させるようにしたとしても充電無しに長時間使用することができる。
また、携帯端末装置を使用する際に視認しない２つの筐体の他方の主面側にバッテリーが設けられ、特に、第２の筐体の他方の主面側は、２つの筐体を重ね合わせて閉じた状態において第１の筐体により覆い隠されるため、良好な外観意匠を保持できる。
【００２１】
請求項２の発明によれば、筐体の捩れや変形に伴う筐体強度を向上できるため、携帯端末装置を落下させたり、２つの筐体を相互に回転させる際に各筐体に捩れが発生した場合でも、携帯端末装置の破損確率を低減することができる。
【図面の簡単な説明】
【図１】この発明の一実施形態に係る携帯電話機の第１、第２の筐体を相互に開いた状態を示しており、（ａ）は、概略平面図であり、（ｂ）は、概略断面図である。
【図２】図１の携帯電話機において、第１、第２の筐体を相互に閉じた状態を示しており、（ａ）は、概略平面図であり、（ｂ）は、概略断面図である。
【図３】図１の携帯電話機において、連結手段を示す拡大断面図である。
【符号の説明】
１  携帯電話機（携帯端末装置）
２  第１の筐体
２ａ，３ａ  一方の主面
２ｄ，３ｄ  他方の主面
３  第２の筐体
５  連結手段
７  操作部
１１  第１のバッテリー
１５  表示部
１９  第２のバッテリー
【図１】
2004328595.tif 000003
【図２】
2004328595.tif 000004
【図３】
2004328595.tif 000005